(57)【要約】【課題】小型化を図る排水浄化装置を提供する。【解決手段】本発明の排水浄化装置（１００ａ）は、メッシュで形成された外筒（１２１）を有し、回転駆動されるドラム（１２０）と、ドラム（１２０）の内部に排水を貯留するために排水をドラム（１２０）の内部に供給する排水供給部（１１０）と、ドラム（１２０）の下方に配置され、外筒（１２１）のメッシュを通過した浄化水を受ける浄化水受け部（１４０）と、ドラム（１２０）の上部において、外部から内部に向けてガスを吹き付けて、外筒（１２１）の内周面に付着した汚濁物を外筒（１２１）から分離するガス供給部（１６０）と、ガス供給部（１６０）により分離された汚濁物をドラム（１２０）の外部に導く汚濁物排出部（１７０）とを備えている。【選択図】図１
2016016376.tif 000002
【特許請求の範囲】
【請求項１】
汚濁物を含む排水から汚濁物を分離することにより浄化する装置であって、
メッシュで形成された外筒を有し、回転駆動されるドラムと、
前記ドラムの内部に前記排水を貯留するために、前記排水を前記ドラムの内部に供給する排水供給部と、
前記ドラムの下方に配置され、前記外筒のメッシュを通過した浄化水を受ける浄化水受け部と、
前記ドラムの上部において、外部から内部に向けてガスを吹き付けて、前記外筒の内周面に付着した前記汚濁物を前記外筒から分離するガス供給部と、
前記ガス供給部により分離された前記汚濁物を前記ドラムの外部に導く汚濁物排出部とを備える、排水浄化装置。
【請求項２】
前記ドラムの内部に貯留する排水中の前記汚濁物を凝集する凝集手段をさらに備える、請求項１に記載の排水浄化装置。
【請求項３】
前記凝集手段は、電気分解装置を含み、
前記電気分解装置は、一方電極と他方電極とを有し、
前記一方電極は、前記ドラムの内部に貯留する排水中に位置し、
前記他方電極は、前記ドラムを構成する部材を用いる、請求項２に記載の排水浄化装置。
【請求項４】
前記凝集手段は、前記ドラムの内部に貯留する排水中に凝集剤を供給する凝集剤供給部を含む、請求項２に記載の排水浄化装置。
【請求項５】
前記浄化水受け部で受けた浄化水を前記ドラムの内部に供給する浄化水供給部をさらに備える、請求項１〜４のいずれか１項に記載の排水浄化装置。
【請求項６】
前記外筒は、４００メッシュ以上６００メッシュ以下である、請求項１〜５のいずれか１項に記載の排水浄化装置。
【請求項７】
前記ドラムは、１ｒｐｍ以下で回転駆動されるように構成されている、請求項１〜６のいずれか１項に記載の排水浄化装置。
【請求項８】
前記排水供給部は、前記排水を貯留する排水受水槽と、前記排水受水槽の排水を前記ドラムに送るポンプとを含み、
前記ポンプは、容積形である、請求項１〜７のいずれか１項に記載の排水浄化装置。
【発明の詳細な説明】
【技術分野】
【０００１】
本発明は、排水浄化装置に関し、より特定的には、汚濁物を含む排水の浄化装置に関する。
【背景技術】
【０００２】
汚濁物を含む排水から、汚濁物を分離することにより浄化水を得る浄化装置として、例えば、特開２０１３−２２５０３号公報（特許文献１）が挙げられる。この特許文献１には、目詰まり等によって処理能力の低下を招くことなく排水の処理を行うことを目的として、排水と無機凝集剤溶液とを撹拌することでマイクロフロックを形成し、このマイクロフロックが形成された排水と沈殿促進剤と高分子凝集剤溶液とを撹拌して沈殿性の良い凝集フロックを形成し、沈殿性の良い凝集フロックが形成された排水を沈殿分離することで、汚濁物を含む凝集フロックと上澄み液である浄化水とに排水を固液分離するシステムが開示されている。
【先行技術文献】
【特許文献】
【０００３】
【特許文献１】特開２０１３−２２５０３号公報
【発明の概要】
【発明が解決しようとする課題】
【０００４】
しかしながら、上記特許文献１に開示のシステムでは、マイクロフロックを形成する急速撹拌槽と、沈降性の良い凝集フロックを形成するフロック形成層と、凝集フロックと浄化水とに固液分離する固液分離槽とが少なくとも必要である。このため、３以上の槽を設置するスペースを要するので、システムの小型化に改善の余地がある。
【０００５】
本発明は、上記問題点に鑑み、小型化を図る排水浄化装置を提供することを課題とする。
【課題を解決するための手段】
【０００６】
本発明の排水浄化装置は、汚濁物を含む排水から汚濁物を分離することにより浄化する装置であって、ドラムと、排水供給部と、浄化水受け部と、ガス供給部と、汚濁物排出部とを備えている。ドラムは、メッシュで形成された外筒を有し、回転駆動される。排水供給部は、ドラムの内部に排水を貯留するために排水をドラムの内部に供給する。浄化水受け部は、ドラムの下方に配置され、外筒のメッシュを通過した浄化水を受ける。ガス供給部は、ドラムの上部において、外部から内部に向けてガスを吹き付けて、外筒の内周面に付着した汚濁物を外筒から分離する。汚濁物排出部は、ガス供給部により分離された汚濁物をドラムの外部に導く。
【０００７】
本発明の排水浄化装置において好ましくは、ドラムの内部に貯留する排水中の汚濁物を凝集する凝集手段をさらに備えている。
【０００８】
本発明の排水浄化装置において好ましくは、凝集手段は電気分解装置を含み、電気分解装置は一方電極と他方電極とを有し、一方電極はドラムに貯留する排水中に位置し、他方電極はドラムを構成する部材を用いる。
【０００９】
本発明の排水浄化装置において、凝集手段は、ドラムの内部に貯留する排水中に凝集剤を供給する凝集剤供給部を含んでいてもよい。
【００１０】
本発明の排水浄化装置において好ましくは、浄化水受け部で受けた浄化水をドラムの内部に供給する浄化水供給部をさらに備えている。
【００１１】
本発明の排水浄化装置において好ましくは、外筒は、４００メッシュ以上６００メッシュ以下である。
【００１２】
本発明の排水浄化装置において好ましくは、ドラムは、１ｒｐｍ（回転／分）以下で回転駆動されるように構成されている。
【００１３】
本発明の排水浄化装置において好ましくは、排水供給部は、排水を貯留する排水受水槽と、排水受水槽の排水を前記ドラムに送るポンプとを含み、ポンプは、容積形である。
【発明の効果】
【００１４】
本発明の排水浄化装置によれば、小型化を図ることができる。
【図面の簡単な説明】
【００１５】
【図１】本発明の実施の形態の排水浄化装置を示す模式図である。
【図２】本発明の実施の形態の別の排水浄化装置を示す模式図である。
【図３】本発明の実施の形態の排水浄化装置を構成するドラム、ガス供給部及び汚濁物排出部を概略的に示す斜視図である。
【発明を実施するための形態】
【００１６】
以下、図面に基づいて本発明の実施の形態を説明する。なお、以下の図面において同一または相当する部分には同一の参照符号を付しその説明は繰り返さない。
【００１７】
図１〜図３を参照して、本発明の一実施形態の排水浄化装置について説明する。図１〜図３に示すように、本発明の実施の形態の排水浄化装置１００ａ、１００ｂは、汚濁物を含む排水から汚濁物を分離することにより浄化する装置である。排水浄化装置１００ａ、１００ｂは、排水供給部１１０と、ドラム１２０と、凝集手段としての電気分解装置１３０と、浄化水受け部１４０と、浄化水供給部１５０と、ガス供給部１６０と、汚濁物排出部１７０とを主に備えている。
【００１８】
排水供給部１１０は、排水をドラムの内部に供給するものであって、排水受水槽１１１と、第１の配管１１２と、ポンプ１１３と、第２の配管１１４とを含んでいる。排水受水槽１１１に第１の配管１１２が接続され、この第１の配管１１２にポンプ１１３が接続され、このポンプ１１３に第２の配管１１４が接続されている。排水受水槽１１１は、汚濁物を含む排水を貯留する。第１の配管１１２、ポンプ１１３及び第２の配管１１４は、排水受水槽１１１中の排水をドラム１２０に供給する。ポンプ１１３は、特に限定されないが、汚濁物の粉砕、分散等を抑制して排水をドラム１２０に送る観点から、容積ポンプであることが好ましく、回転ポンプであることがより好ましく、ダイアフラムポンプまたはピストンポンプであることがより一層好ましい。
【００１９】
第２の配管１１４の出口に、ドラム１２０が位置している。ドラム１２０は外筒１２１を含み、外筒１２１の軸が水平方向に延びるように配置される。ドラム１２０の外筒１２１の内部に、第１の配管１１２、ポンプ１１３及び第２の配管１１４を介して排水受水槽１１１から排水が供給され、ドラム１２０の内部に排水を貯留する。本実施の形態のドラム１２０は、図３に示すように、円筒状の外筒１２１と、外筒の一方開口（図３におけるドラム１２０の右側開口）の全面を覆う被覆部１２２と、外筒１２１の他方開口（図３におけるドラム１２０の左側開口）の一部を塞ぐように外筒１２１から内部に向けて延出する鍔部１２３とを含み、鍔部１２３の開口から排水が供給される。
【００２０】
また、外筒１２１は、メッシュ（多孔質）で形成され、排水中の汚濁物を分離するためのフィルタの役割を果たす。なお、図３において、便宜上メッシュを粗いストライプ状に記載しているが、実際は、格子状であって、排水を一時的に貯留可能な程度の粗さである。外筒は、４００メッシュ以上６００メッシュ以下であることが好ましく、４００メッシュ以上５００メッシュ以下であることがより好ましい。４００メッシュ以上６００メッシュ以下の場合、ドラム１２０の下部に排水を貯めながら、汚濁物から分離された浄化水を排出することが容易である。４００メッシュ以上５００メッシュ以下の場合、排水から汚濁物を分離して浄化水を得るための時間を短縮できる。また、外筒には孔が形成されていてもよく、この場合、外筒は、１μｍ以上４０μｍ以下の孔を有していることが好ましく、５μｍ以上１５μｍ以下の孔を有していることが好ましい。
【００２１】
なお、被覆部１２２及び鍔部１２３は、外筒１２１と同様のメッシュで形成されていてもよいが、内部に排水を貯留でき、フィルタの役割を担わず（汚濁物の付着を抑制し）、浄化水が漏れないようにする観点から空隙を有していないことが好ましい。つまり、外筒１２１はメッシュで形成され、被覆部１２２及び鍔部１２３は孔のない材料で形成されていることが好ましい。
【００２２】
ドラム１２０を構成する材料は特に限定されず、布などの非金属であってよいが、耐久性の観点から、金属であることが好ましく、ステンレス鋼（ＳＵＳ）であることがより好ましい。ドラム１２０がステンレス鋼で形成されていると、摩耗劣化が少なく、取り替えが長期に渡って不要であるので、耐用年数を向上できる。また、被覆部１２２及び鍔部１２３を構成する材料は、外筒１２１と異なっていてもよく、同じであってもよい。後述する凝集手段が電気分解装置であり、被覆部１２２を電極として用いる場合には、外筒１２１と被覆部１２２とは同じ金属で構成されることが好ましい。
【００２３】
ドラム１２０は、外筒１２１の軸を中心にして、回転駆動されるように構成され、１ｒｐｍ以下で回転駆動されるように構成されていることが好ましい。このようにドラム１２０をゆっくり回転させることにより、ドラム１２０に遠心力が働きにくいように形成される。ドラム１２０を回転させるために、駆動部材（図示せず）が設けられていてもよい。駆動部材は、例えばモータである。
【００２４】
ドラム１２０の下部に滞留する排水の量を測定するために、ドラム１２０内に水位センサ（図示せず）が設けられていてもよい。また、この水位センサを用いてドラム１２０の下部に貯留される排水量を測定し、ドラム１２０の下部に一定量の排水が滞留するようにポンプ１１３で排水を供給するように制御する制御部（図示せず）が設けられていてもよい。
【００２５】
このドラム１２０の下部に貯留する排水中の汚濁物を凝集させるために凝集手段が設けられている。凝集手段は、特に限定されず、例えば、凝集剤を排水中に供給する凝集剤供給部（図示せず）を含んでいてもよく、汚濁物が金属粉である場合には金属粉を凝集するための磁石（図示せず）を含んでいてもよいが、電気分解装置１３０を含んでいることが好ましい。
【００２６】
ここで、電気分解装置１３０を用いたときの汚濁物の凝集について説明する。一般に、汚濁物は正または負に帯電しており、その電荷のためにお互いに反撥し合う。このため、排水中の汚濁物は凝集しにくい状態である。しかし、電気分解装置１３０を用いて、排水中に負イオン及び陽イオンを供給すると、汚濁物のもつ正電荷または負電荷が中和される。このため、汚濁物の凝集を促進できるので、コロイド粒子の凝結フロックを成長することができる。
【００２７】
凝集手段が電気分解装置１３０を含む場合には、ドラム１２０が電極の役割を担うことが好ましい。具体的には、電気分解装置１３０は、一方電極１３１と、他方電極１３２と、電源１３３とを有している。一方電極１３１は、ドラム１２０に貯留する排水中に位置し、例えば、外筒１２１の内周面から１ｍｍ以上１０ｍｍ以下、好ましくは５ｍｍ程度離れた位置に設けられる。他方電極１３２は、ドラム１２０を構成する部材であり、本実施の形態では、外筒１２１と連なる被覆部１２２としている。なお、図１及び図２では、他方電極１３２として、軸近傍に位置する被覆部のみを示している。電源１３３は、直流電源であることが好ましい。
【００２８】
一方電極１３１と他方電極１３２とはイオン化傾向が異なっていれば特に限定されないが、図１及び図２に示すように一方電極１３１のイオン化傾向が他方電極１３２のイオン化傾向よりも大きい場合には、一方電極１３１が陽極になり、他方電極１３２が陰極になる。このような組み合わせとして、例えば、一方電極１３１がアルミニウムで構成され、他方電極となるドラム１２０の外筒１２１及び被覆部１２２がＳＵＳで構成されている。なお、貯留される排水が酸性の場合には、他方電極１３２となるドラム１２０を構成する部材をイオン化傾向の低い金属で構成し、一方電極１３１をイオン化傾向の高い金属で構成してもよい。
【００２９】
ドラム１２０の下方には、浄化水受け部１４０が配置されている。浄化水受け部１４０は、外筒１２１のメッシュを通過した浄化水を受ける。つまり、浄化水受け部１４０は、排水から汚濁物が取り除かれた浄化水が貯留される。浄化水受け部１４０は、ドラム１２０と近接していてもよい。つまり、浄化水受け部１４０はドラム１２０と接していてもよく、浄化水受け部１４０の上端がドラム１２０の下端よりも下方に位置していてもよい。しかし、ドラム１２０内に貯留される排水が浄化水受け部１４０に入らない観点から、浄化水受け部１４０の上端がドラム１２０の下端よりも下方に配置されていることが好ましい。
【００３０】
浄化水受け部１４０に貯留される浄化水は、排水受水槽１１１に貯留される排水に比べて、汚濁物が低減されているが、浄化水中の汚濁物をさらに分離するために、浄化水受け部１４０で受けた浄化水をドラム１２０の内部に供給する浄化水供給部１５０が設けられている。浄化水供給部１５０は、図１に示すように、浄化水受け部１４０とポンプ１１３とを接続する配管１５１を有していてもよく、図２に示すように、浄化水受け部１４０とドラム１２０とを接続する配管１５３と、ドラム１２０に浄化水を供給するポンプ１５４とを有していてもよい。
【００３１】
また、浄化水と排水とを混合してドラム１２０に供給してもよく、浄化水をドラム１２０に供給する工程と、排水をドラム１２０に供給する工程とを別に実施するように構成されていてもよい。前者の場合には、図１の排水浄化装置１００ａでは、ポンプ１１３の手前に配置された排水用のバルブ１１５及び浄化水用のバルブ１５２を開けることにより実現でき、図２の排水浄化装置１００ｂでは、排水供給用のポンプ１１３及び浄化水用のポンプ１５４を同時に起動することで実現できる。後者の場合、図１の排水浄化装置１００ａでは、ポンプ１１３の手前の排水用のバルブ１１５及び浄化水用のバルブ１５２の一方を開けて他方を閉めることにより実現でき、図２の排水浄化装置１００ｂでは、排水供給用のポンプ１１３及び浄化水用のポンプ１５４の一方を起動し他方を停止することで実現できる。
【００３２】
図１及び図２に示すように、ドラム１２０の下部で排水から分離された汚濁物は、外筒１２１の内周面に付着して、外筒１２１の回転駆動によって上方に移動される。この外筒１２１に付着した汚濁物を取り除くために、図１〜図３に示すように、ドラム１２０の上方には、ガス供給部１６０が設けられている。つまり、ガス供給部１６０は、ドラム１２０の上部において、外部から内部に向けてガスを吹き付けて、外筒１２１の内周面に付着した汚濁物を外筒１２１から分離する。汚濁物に吹き付けるガスは特に限定されないが、例えば、簡便性の観点からエアである。
【００３３】
ガス供給部１６０は、ガスを汚濁物に吹き付ける吹付部１６１と、吹付部１６１を外筒の軸方向（図１及び図２における紙面手前から奥行方向、図３における矢印）に沿って移動させる駆動部（図示せず）とを有している。本実施の形態では、吹付部１６１は、エアを噴射するノズルであり、駆動部は、軸方向に沿って吹付部１６１の往復移動を可能にしている。
【００３４】
このガス供給部１６０により外筒１２１の内周面から分離された汚濁物をドラム１２０の外部に導くために、汚濁物排出部１７０が設けられている。汚濁物排出部１７０は、汚濁物受け部１７１と、排出管１７２と、汚濁物槽１７３とを含む。
【００３５】
汚濁物受け部１７１は、ガス供給部１６０の吹付部１６１の移動方向に対向する位置全体に沿って延びるように配置され、ガス供給部１６０により外筒１２１から分離された汚濁物を受ける桶である。本実施の形態の汚濁物受け部１７１は、軸方向に沿って延びる筒体であって、円筒部１７１ａと開口部１７１ｂとを有する円筒すり割り状である。開口部１７１ｂは、外筒１２１のメッシュを介して、ガス供給部１６０の吹付部１６１と対向する位置に形成されている。開口部１７１ｂは、断面視においてハ字状に拡がり、案内板で形成されている。円筒部１７１ａは、汚濁物の衝突面を含み、衝突面は曲面とし、汚濁物が跳ね返ることを防止している。
【００３６】
この汚濁物受け部１７１に、排出管１７２は連なっている。排出管１７２は、下方に傾斜し、自重で汚濁物をドラム１２０の外部に排出している。この排出管１７２の出口には、内部に汚濁物を貯留させる汚濁物槽１７３が設けられている。
【００３７】
なお、本実施の形態の排水浄化装置１００ａ、１００ｂは、排水の前処理装置（図示せず）をさらに備えていてもよい。前処理装置は、例えば、排水受水槽１１１に澱粉質を供給する装置である。この場合、メッキ排水など金属を含む排水に好適に用いられる。前処理装置により排水中に少量の澱粉が溶解されるので、ドラム１２０に貯留された排水中の汚濁物を電気分解により凝集する際に、澱粉を粘性汚濁物化し、これに金属を吸着することができる。
【００３８】
続いて、図１〜図３を参照して、本実施の形態の排水浄化方法について説明する。本実施の形態の排水浄化方法は、上述した排水浄化装置１００ａ、１００ｂを用いて行われる。
【００３９】
まず、排水供給部１１０を用いて、メッシュで形成された外筒１２１を有し、回転駆動されるドラム１２０の内部に、汚濁物を含む排水を供給する。この工程では、ポンプ１１３を起動して、排水受水槽１１１に貯留された排水を第１及び第２の配管１１２、１１４を介してドラム１２０に供給する。
【００４０】
次に、ドラム１２０を回転駆動させつつ、ドラム１２０の内部に貯留された排水を、外筒１２１のメッシュを通過した浄化水と、メッシュを通過しない汚濁物とに分離する。この工程を実施することにより、外筒１２１の内周面には汚濁物が付着し、メッシュを通過した浄化水は浄化水受け部１４０に貯留される。
【００４１】
この工程では、凝集手段を用いて、ドラム１２０に貯留する排水中の汚濁物を凝集することが好ましい。凝集手段は、特に限定されないが、上述したような電気分解装置１３０により汚濁物を凝集することが好ましい。
【００４２】
また、この工程では、軸方向を中心にドラム１２０を回転駆動させる。具体的には、１ｒｐｍ以下でドラム１２０を回転駆動することが好ましい。
【００４３】
次に、ガス供給部１６０を用いて、ドラム１２０の上部において、外部から内部に向けてガスを吹き付けて、外筒１２１の内周面に付着した汚濁物を外筒１２１から分離する。この工程では、ガスとしてエアを用い、エアを外筒１２１に付着した汚濁物に噴射する。次に、汚濁物排出部１７０を用いて、外筒１２１から分離された汚濁物をドラム１２０の外部に導く。
【００４４】
以上の工程を実施することにより、汚濁物を含む排水から汚濁物を分離することにより浄化することができる。ドラム１２０の下部で浄化水を得る工程と、ドラム１２０の上部で汚濁物を外部に排出する工程とは、同時に行うことにより、効率よく排水を浄化することができ、連続して排水浄化装置１００ａ、１００ｂを使用することができる。
【００４５】
排水をさらに浄化する場合には、浄化水供給部１５０を用いて浄化水受け部１４０に貯留された浄化水をドラム１２０に供給し、上述したように、ドラム１２０を回転し、ドラム１２０の下部において、浄化水中の汚濁物を外筒１２１の内部に付着させて、浄化水を汚濁物と排水とにさらに分離しつつ、ドラム１２０の上部において、ガス供給部１６０を用いて、外筒１２１の内周に付着した汚濁物を外筒１２１から分離して、ドラム１２０の外部に排出する。この工程は、繰り返し実施してもよい。
【００４６】
以上説明したように、本発明の実施の形態における排水浄化装置１００ａ、１００ｂは、汚濁物を含む排水から汚濁物を分離することにより浄化する装置であって、メッシュで形成された外筒１２１を有し、回転駆動されるドラム１２０と、ドラム１２０の内部に排水を貯留するために排水をドラム１２０の内部に供給する排水供給部１１０と、ドラム１２０の下方に配置され、外筒１２１のメッシュを通過した浄化水を受ける浄化水受け部１４０と、ドラム１２０の上部において、外部から内部に向けてガスを吹き付けて、外筒１２１の内周面に付着した汚濁物を外筒１２１から分離するガス供給部１６０と、ガス供給部１６０により分離された汚濁物をドラム１２０の外部に導く汚濁物排出部１７０とを備えている。
【００４７】
本発明の実施の形態における排水浄化装置１００ａ、１００ｂによれば、ドラム１２０の内部に供給された排水は、下部でメッシュを通過することで浄化水が得られる。ドラム１２０は回転駆動されるので、メッシュに付着した汚濁物がドラム１２０の上部に移動され、ガス供給部１６０により外筒１２１の内周面に付着した汚濁物を外筒１２１から分離し、汚濁物は汚濁物排出部１７０によりドラム１２０の外部に排出される。このように、ドラム１２０の下部で排水から浄化水が分離されつつ、ドラム１２０の上部で汚濁物が取り除かれている。つまり、１つのドラム１２０内で、排水を汚濁物と浄化水とに分離できる。したがって、排水浄化装置１００ａ、１００ｂの設置スペースを低減できるので、小型化を図ることができる。
【００４８】
さらに、本実施の形態の排水浄化装置１００ａ、１００ｂは、小型化を図ることができることに加えて、以下のような効果も有する。ドラム１２０の下部で浄化水が得られ、ドラム１２０の上部で汚濁物をドラム１２０の外部に排出しているので、ドラム１２０を回転駆動させることで、連続して排水を浄化することができる。また、ガス供給部１６０により、外筒１２１から汚濁物を分離するので、外筒１２１のメッシュに汚濁物が目詰まりすることが抑制されるので、長期に渡って使用することができる。また、ドラム１２０は回転駆動されるので、排水が撹拌されるため、排水を撹拌する部材が不要であるので、排水浄化装置１００ａ、１００ｂの部品点数を低減できる。
【００４９】
本実施の形態における排水浄化装置１００ａ、１００ｂにおいて好ましくは、ドラム１２０の内部に貯留する排水中の汚濁物を凝集する凝集手段をさらに備える。
【００５０】
これにより、排水中の汚濁物を凝集させることができるので、外筒１２１のメッシュで、ドラム１２０内に貯留する排水中の汚濁物を容易に分離することができる。
【００５１】
本実施の形態の排水浄化装置１００ａ、１００ｂにおいて、凝集手段は、ドラム１２０の内部に貯留する排水中に凝集剤を供給する凝集剤供給部を含んでいてもよい。
【００５２】
凝集剤供給部によって排水中に凝集剤が供給されることで、排水中の汚濁物が凝集する。このため、ドラム１２０内に貯留する排水中の汚濁物を容易に分離できる排水浄化装置を実現できる。
【００５３】
本実施の形態の排水浄化装置１００ａ、１００ｂにおいて好ましくは、凝集手段は電気分解装置１３０を含み、電気分解装置１３０は一方電極１３１と他方電極１３２とを有し、一方電極１３１はドラム１２０に貯留する排水中に位置し、他方電極１３２はドラム１２０を構成する部材を用いる。
【００５４】
一般的に汚濁物は帯電しているので、互いに反撥して汚濁物粒子間は離れた状態で排水中に分散している。このため、電気分解装置１３０によりプラスイオン及びマイナスイオンを発生させることで、汚濁物を電荷中和できるので、互いに離れることを抑制し、汚濁物を凝集できる。また、ドラム１２０を構成する部材を他方電極１３２とすることで、電気分解装置１３０に必要な部品を減らすことができる。また、ドラム１２０は回転駆動されるので、排水が撹拌され、電解水として偏りの発生を抑制できる。このため、小型化をさらに図りつつ、排水中の汚濁物を容易に分離することができる。それに加えて、電気分解装置１３０では凝集剤などの薬剤が不要であるので、薬剤の処理も不要になる。
【００５５】
本実施の形態の排水浄化装置１００ａ、１００ｂにおいて好ましくは、浄化水受け部１４０で受けた浄化水をドラム１２０の内部に供給する浄化水供給部１５０をさらに備えている。これにより、浄化水の品質をより高めることができる。
【００５６】
本実施の形態の排水浄化装置１００ａ、１００ｂにおいて好ましくは、外筒１２１は、４００メッシュ以上６００メッシュ以下である。
【００５７】
これにより、ドラム１２０に供給された排水を貯留しながら、汚濁物はメッシュを通過させず、かつ浄化水はメッシュを通過させる構成を容易に実現できる。
【００５８】
本実施の形態の排水浄化装置１００ａ、１００ｂにおいて好ましくは、ドラム１２０は、１ｒｐｍ以下で回転駆動されるように構成されている。
【００５９】
これにより、遠心力が加えられることを抑制できるので、メッシュの孔よりも大きな汚濁物が通過することを抑制できる。
【００６０】
本実施の形態の排水浄化装置１００ａ、１００ｂにおいて好ましくは、排水供給部１１０は、排水を貯留する排水受水槽１１１と、この排水受水槽１１１の排水をドラム１２０に送るポンプ１１３とを含み、このポンプ１１３は、容積形である。
【００６１】
これにより、排水中の汚濁物の凝集及び粉砕を抑制してドラム１２０に排水を供給できるので、排水中の汚濁物を効率的に分離することができる。
【００６２】
このように本実施の形態の排水浄化装置１００ａ、１００ｂは、小型化を図ることができるので、種々の分野の排水の浄化に用いられ、特に製紙工場、食品加工から排出される排水の浄化に好適に用いられる。このような排水を浄化する場合には、排水浄化装置１００ａ、１００ｂは、ドラム１２０に貯留する排水中の汚濁物を凝集する電気分解装置１３０を含むことが好ましい。このような排水は汚濁物として澱粉質を多く含み、粘性があるので、一般のフィルタを用いた場合には、一般のフィルタを通過して浄化水の品質に問題が生じる場合があるが、本実施の形態では電気分解装置１３０を用いて汚濁物を凝集することで、外筒１２１のメッシュを通過することを抑制できるので、浄化水の品質を維持することができる。
【００６３】
ここで、本実施の形態では、ドラム１２０は、一層の外筒１２１を含むことを例に挙げて説明したが、外筒１２１は複数層であってもよい。外筒が４００メッシュ以上６００メッシュ以下の場合、強度を高める観点から、その内部に４００メッシュよりも粗いメッシュで形成された骨材を配置してもよい。すなわち、外筒は、メッシュで形成された第１の層と、この第１の層上に配置され、かつ第１の層のメッシュよりも細かいメッシュで形成された第２の層とを含んでいてもよい。このような複数層で構成された外筒の場合、例えば、第１の層は１０メッシュ以下であり、第２の層は４００メッシュ以上６００メッシュ以下である。
【００６４】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００６５】
１００ａ，１００ｂ  排水浄化装置、１１０  排水供給部、１１１  排水受水槽、１１２  第１の配管、１１３，１５４  ポンプ、１１４  第２の配管、１１５，１５２  バルブ、１２０  ドラム、１２１  外筒、１２２  被覆部、１２３  鍔部、１３０  電気分解装置、１３１  一方電極、１３２  他方電極、１３３  電源、１４０  浄化水受け部、１５０  浄化水供給部、１５１，１５３  配管、１６０  ガス供給部、１６１  吹付部、１７０  汚濁物排出部、１７１  汚濁物受け部、１７１ａ  円筒部、１７１ｂ  開口部、１７２  排出管、１７３  汚濁物槽。
【図１】
2016016376.tif 000003
【図２】
2016016376.tif 000004
【図３】
2016016376.tif 000005